(57)【要約】【課題】    小型軽量で携帯性に優れポケットやハンドバッグにも携行することができ、小さい器具や細かい凹凸の在る部分でも簡単にきめ細かく清掃することができる携帯用粘着性清掃具を提供する。【解決手段】屈曲可能な２枚のシートを重ね合わせその３辺または対向する２辺を接合して他の１辺または２辺に手を挿入する開口を設けるとともに一方のシートの外側面に粘着材を塗布しその上に剥離紙を積層配置しかつ他方のシートの外側面に不織布をコーティングする。またそのようなものにおいて、手を挿入する方向にほぼ直交して剥離紙を２分割する。【選択図】  図１
2006116254.tif 000002
【特許請求の範囲】
【請求項１】
屈曲可能な２枚のシートを重ね合わせその３辺を接合し他の１辺に手を挿入する開口を設けるとともに一方のシートの外側面に粘着材を塗布しその上に剥離紙を積層配置しかつ他方のシートの外側面に不織布をコーティングしたことを特徴とする携帯用粘着性清掃具。
【請求項２】
屈曲可能な２枚のシートを重ね合わせその対向する２辺を接合し他の２辺に手を挿入する開口を設けるとともに一方のシートの外側面に粘着材を塗布しその上に剥離紙を積層配置しかつ他方のシートの外側面に不織布をコーティングしたことを特徴とする携帯用粘着性清掃具。
【請求項３】
剥離紙が手を挿入する方向にほぼ直交して２分割されていることを特徴とする請求項１または２記載の携帯用粘着性清掃具。
【発明の詳細な説明】
【技術分野】
【０００１】  この発明は、ポケットやハンドバッグに入れて携帯することができ、手袋のように手にはめて、衣服、家具、壁、電気製品、ＯＡ機器その他のものに付着した埃や汚れを簡単に除去するための携帯用粘着性清掃具に関する。
【背景技術】
【０００２】  従来、例えば下記特許文献１に示されるような、清掃用モップの清掃用シートに粘着材を塗布したものが知られている。このような清掃用モップは粘着材を使用しているため細かい埃も粒子の大きいゴミも効率よく清掃することができるという利点がある。しかし、大きな平板状をしているため床のような広くて平坦な部分の清掃には向いているが、小さい器具や凹凸に富んだ形状をした物の清掃には使い勝手が悪いという欠点があり、また形が大きくて重いから携帯には不便であるという欠点があった。
【特許文献１】特開平１１−１３７５０３
【発明の開示】
【発明が解決しようとする課題】
【０００３】  この発明が解決しようとする課題は、上記従来装置の欠点を改良することであり、小型軽量で携帯性に優れポケットやハンドバッグにも携行することができ、小さい器具や細かい凹凸の在る部分でも簡単にきめ細かく清掃することができる携帯用粘着性清掃具を提供することである。
【発明を解決するための手段】
【０００４】  この発明の携帯用粘着性清掃具は、屈曲可能な２枚のシートを重ね合わせその３辺または対向する２辺を接合して他の１辺または２辺に手を挿入する開口を設けるとともに一方のシートの外側面に粘着材を塗布しその上に剥離紙を積層配置しかつ他方のシートの外側面に不織布をコーティングしたことを特徴としている。またそのようなものにおいて、剥離紙が手を挿入する方向にほぼ直交して２分割されていることを特徴としている。
【発明の効果】
【０００５】  この発明の携帯用粘着性清掃具は、屈曲可能な２枚のシートを重ね合わせその３辺または対向する２辺を接合し他の１辺または２辺に手を挿入する開口を設けるとともに一方のシートの外側面に粘着材を塗布しその上に剥離紙を積層配置しかつ他方のシートの外側面に不織布をコーティングしたことにより、ポケットやハンドバッグに入れて手軽に携帯することができ、使用に際しては手袋のように手にはめ剥離紙をはがして清掃する個所に粘着材を軽く接触させるだけで埃や汚れを簡単に除去することができ使用後は再び剥離紙を貼っておくことにより繰り返し使用することができるものであり、屈曲可能なことから小さい器具や凹凸に富んだ形状をした物でも簡単に清掃することができ、また、不織布の面は靴や家電製品、家具などの艶出しに使用することができるという効果を奏するものである。また、手を挿入する開口を片側だけでなく両側に設けたものは使用中に手先が蒸れることがなく向きを変えて使用することにより粘着材を隅々まで無駄なく使用することができるという効果を奏する。
【０００６】  またこれらのものにおいて、手を挿入する方向にほぼ直交して剥離紙を２分割したことにより、粘着材を塗布した面を半分ずつ使用することができるから小さい面積を清掃する際に無駄がなくしかも２倍使用することができるという効果を奏するものである。さらに、シート面や剥離紙面には印刷を施すことができるから携帯用粘着性清掃具の使用法を表示したり広告、宣伝などに使用したりすることができるという効果を奏するものである。
【発明を実施するための最良の形態】
【０００７】  屈曲可能な２枚のシートを重ね合わせその３辺または対向する２辺を接合し他の１辺または２辺に手を挿入する開口を設けるとともに一方のシートの外側面に粘着材を塗布しその上に剥離紙を積層配置しかつ他方のシートの外側面に不織布をコーティングしておく。使用に際しては手袋のように手にはめて、剥離紙をはがし清掃する個所に粘着材を軽く接触させて埃や汚れを除去し、使用後は再び剥離紙を貼っておくことにより繰り返し使用し、また不織布をコーティングした面は靴や家具などの艶出しに使用する。さらにこれらのものにおいて、手を挿入する方向にほぼ直交して剥離紙を２分割しておくことにより、小さい面積の汚れを清掃する際に剥離紙を１枚だけはがして使用するようにし粘着材を２倍に使用することができる。
【実施例１】
【０００８】  図１に示されるように、携帯用粘着性清掃具１は、正方形または長方形の紙や合成樹脂からなる屈曲可能な２枚のシート２を重ね合わせ、その３辺を加熱圧着など周知の手段により接合し他の１辺に片手を挿入するための開口３を設けている。そしてその一方のシート２の外側面に反復粘着力を有する粘着材４を塗布しその上に剥離紙５を積層配置するとともに他方のシート２の外側面に不織布６をコーティングしている。【０００９】  使用に際しては手袋のように携帯用粘着性清掃具１を手にはめたのち剥離紙５をはがし、清掃する個所に粘着材４を軽く接触させて埃や汚れを除去する。洋服に着いた埃やペットの毛などを簡単に手軽に除去することができ、また家電製品や家具、特に小さいものや凹凸に富んだ形状をしたものの清掃を形状に沿って手を動かすことにより簡単に行うことができる。また使用後は再び剥離紙５を貼っておくことにより繰り返し使用することができる。不織布６は靴や家電製品、家具などの艶出しに使用する。
【実施例２】
【００１０】  図２に示されるように、実施例１と同様な２枚のシート２の対向する２辺を接合し他の対向する２辺にそれぞれ片手を挿入する開口３を設けたものであり、一方のシート２の外側面に粘着材４を塗布しその上に剥離紙５を積層配置するとともに他方のシート２の外側面に不織布６をコーティングしている。【００１１】  使用に際しては、実施例１と同様に手袋のように携帯用粘着性清掃具１を手にはめた状態で使用するのであるが、開口３が両側にあるため使用中に指先が蒸れることがなく、また向きを変えて使用することにより粘着材４や不織布６をすみずみまで無駄なく使用することができ使い勝手がよく効率的であるという利点がある。
【実施例３】
【００１２】  図３に示されるように、実施例１と同様に２枚のシート２の３辺を接合し他の１辺に片手を挿入する開口３を設けたものであり、実施例１と異なるところは剥離紙５ａ、５ｂが手を挿入する方向にほぼ直交して２分割されている点でありその他の点は全く同様である。このようにすることにより、小面積の汚れに対しては半分の剥離紙５ａ（または５ｂ）だけをはがしてその部分だけの粘着材４を使用して清掃することができ２倍使用することができる。広い面積の汚れを清掃する際には全体の剥離紙５ａおよび５ｂをはがして全体の粘着材４を使用すればよい。不織布６の使用法は実施例１と同様である。
【実施例４】
【００１３】  図４に示されるように、実施例２と同様に２枚のシート２の対向する２辺を接合し他の対向する２辺にそれぞれ片手を挿入する開口３を設けたものであり、実施例２と異なる点は、剥離紙５ａ、５ｂが手を挿入する方向にほぼ直交して２分割されている点でありその他の点は実施例２と同様である。このようにすることにより、小面積の汚れを清掃する際には半分の剥離紙５ａ（または５ｂ）だけをはがしてその部分だけの粘着材４を使用し、広い面積の汚れに対しては全体の剥離紙５ａおよび５ｂをはがして全体の粘着材４を使用する。
【図面の簡単な説明】
【００１４】
【図１】  実施例１の斜視図
【図２】  実施例２の斜視図
【図３】  実施例３の斜視図
【図４】  実施例４の斜視図
【符号の説明】
【００１５】  １  携帯用粘着性清掃具        ２  シート        ３  開口
４  粘着材        ５  ５ａ  ５ｂ  剥離紙        ６  不織布
【図１】
2006116254.tif 000003
【図２】
2006116254.tif 000004
【図３】
2006116254.tif 000005
【図４】
2006116254.tif 000006